(57)【要約】【課題】  安定した固定が可能であり、見栄え良く壁面に背面を密着させて取り付けることが可能な壁面取付機構を備えるスピーカーキャビネットと、スピーカーとを備えたスピーカーシステムを提供する。【解決手段】  本発明のスピーカーキャビネットは、壁面に背面を密着させて取り付ける壁面取付機構を備えるスピーカーキャビネットであって、壁面取付機構が、壁面に螺合して突出するネジのネジ頭部が通過する円孔と、円孔に連通してネジの軸部が通過する長孔と、円孔および長孔を含む取付面と、を有し、長孔を規定する取付面の長孔縁部が、背面との離隔距離Ｄをスピーカーキャビネットの底面側よりも天面側で大きくするように傾斜する。【選択図】  図１
2010245711.tif 000002
【特許請求の範囲】
【請求項１】
壁面に背面を密着させて取り付ける壁面取付機構を備えるスピーカーキャビネットであって、
該壁面取付機構が、該壁面に螺合して突出するネジのネジ頭部が通過する円孔と、該円孔に連通して該ネジの軸部が通過する長孔と、該円孔および該長孔を含む取付面と、を有し、
該長孔を規定する該取付面の長孔縁部が、該背面との離隔距離Ｄを該スピーカーキャビネットの底面側よりも天面側で大きくするように傾斜する、
スピーカーキャビネット。
【請求項２】
壁面に背面を密着させて取り付ける壁面取付機構を備えるスピーカーキャビネットであって、
該壁面取付機構が、該壁面に螺合して突出するネジのネジ頭部が通過する円孔と、該円孔に連通して該ネジの軸部が通過する第１長孔および第２長孔と、該円孔および該第１長孔および該第２長孔を含む取付面と、を有し、
該スピーカーキャビネットの縦配置に対応する該第１長孔と、横配置に対応する該第２長孔と、が略直交するように設けられるとともに、
該第１長孔を規定する該取付面の第１長孔縁部と、該第２長孔を規定する該取付面の第２長孔縁部と、がそれぞれ、該背面との離隔距離Ｄ１ないしＤ２を該縦配置ないし該横配置における該スピーカーキャビネットの底面側よりも天面側で大きくするように傾斜する、
スピーカーキャビネット。
【請求項３】
前記第１長孔縁部および前記第２長孔縁部が、前記背面との離隔距離Ｄ０を前記第１長孔が延びる第１方向および前記第２長孔が延びる第２方向の中間方向に沿って変化するように傾斜して該背面から窪んだ凹部を形成する前記取付面に形成されている、
請求項２に記載のスピーカーキャビネット。
【請求項４】
前記壁面取付機構が、前記背面に複数設けられて、それぞれの該壁面取付機構が備える前記長孔のいずれかが、互いに平行になるように配置されている、
請求項１から３のいずれかに記載のスピーカーキャビネット。
【請求項５】
請求項１から４のいずれかに記載のスピーカーキャビネットと、該スピーカーキャビネットに取り付けられるスピーカーと、を備える、スピーカーシステム。
【発明の詳細な説明】
【技術分野】
【０００１】
本発明は、スピーカーキャビネット及びこれを用いたスピーカーシステムに関し、特に、壁面に背面を密着させて取り付ける壁面取付機構を備えるスピーカーキャビネットと、これにスピーカーをさらに備えたスピーカーシステムに関する。
【背景技術】
【０００２】
スピーカーシステムを壁面に取り付ける場合には、ブラケット等の壁面への取付具をスピーカーキャビネットの背面等に取り付けて、スピーカーシステムを壁面に対して固定する場合がある。そのようなスピーカーシステムは、多くの場合にそのキャビネットの背面にネジが螺合するネジ孔を設け、ブラケットを連結する連結部を備えている。
【０００３】
ただし、簡略化した壁面取付機構としては、壁面に取り付けるブラケットの代わりにその頭部が突出するように壁面に螺合させるネジを用い、スピーカーキャビネットの背面にネジの頭部ならびに軸部が係合する鍵穴状の孔を設けて、スピーカーシステムの背面を壁面に密着させて取り付ける場合がある。
【０００４】
例えば、従来には、平面を有する部材に頭部と軸部とが露出して取り付けられたネジに物を引っかけるフック装置であって、軟質な材料で構成され、該部材の平面と該ネジの頭部の間隔より厚い板と、該板に設けられた大穴と、さらに該大穴に連続してこれと一部が重なるような位置に設けられた小穴と、少なくとも該小穴の周辺に設けられた傾斜面とを備え、該小穴と上記ネジの軸部とが嵌合されるようにしたことを特徴とするフック装置がある。（特許文献１）。
【０００５】
また、従来のスピーカーボックスには、六面直方体の箱枠体の一側面を球弧面に形成してこれを後面とし、後面に取り付け用の多数の小孔を穿設し、後面に対向する前面の内部にスピーカーを取り付け、後面の２個の小孔間の距離に合わせて２本の曲げ釘を壁面に植設し、この曲げ釘を小孔の任意の２個に着脱して方向転換するようにしたものがある（特許文献２）。
【先行技術文献】
【特許文献】
【０００６】
【特許文献１】実開昭５９−４６７３号公報  （第１〜４図）
【特許文献２】実公昭４９−４３０号公報  （第１〜６図）
【０００７】
しかしながら、ネジを用いる簡易な従来技術のスピーカーシステムの壁面取付機構では、壁面に螺合させるネジの突出する長さが適切でないと、スピーカーキャビネットの背面と、壁面との間に隙間ができて見栄えが悪く、スピーカーシステムの固定が不安定になる場合があるという問題がある。また、直方体状のスピーカーキャビネットを備えるスピーカーシステムを、縦の長さよりも横の長さが長くなる場合がある横置きの状態で壁面に取り付ける際には、取付を安定させるために２以上の複数のネジを用いることがある。ただし、複数のネジを平行に配置し、かつ、ネジのそれぞれにおいて突出する長さを調整しなければ、スピーカーキャビネットを床面に対して平行に固定できない、また、背面と壁面との間に隙間を生じないようにできない、ことで見栄えと安定性が悪くなるという問題を生じる場合がある。
【発明の概要】
【発明が解決しようとする課題】
【０００８】
本発明は、上記の従来技術が有する問題を解決するためになされたものであり、その目的は、安定した固定が可能であり、見栄え良く壁面に背面を密着させて取り付けることが可能な壁面取付機構を備えるスピーカーキャビネットと、スピーカーとを備えたスピーカーシステムを提供することにある。
【課題を解決するための手段】
【０００９】
本発明のスピーカーキャビネットは、壁面に背面を密着させて取り付ける壁面取付機構を備えるスピーカーキャビネットであって、壁面取付機構が、壁面に螺合して突出するネジのネジ頭部が通過する円孔と、円孔に連通してネジの軸部が通過する長孔と、円孔および長孔を含む取付面と、を有し、長孔を規定する取付面の長孔縁部が、背面との離隔距離Ｄをスピーカーキャビネットの底面側よりも天面側で大きくするように傾斜する。
【００１０】
また、本発明のスピーカーキャビネットは、壁面に背面を密着させて取り付ける壁面取付機構を備えるスピーカーキャビネットであって、壁面取付機構が、壁面に螺合して突出するネジのネジ頭部が通過する円孔と、円孔に連通してネジの軸部が通過する第１長孔および第２長孔と、円孔および第１長孔および第２長孔を含む取付面と、を有し、スピーカーキャビネットの縦配置に対応する第１長孔と、横配置に対応する第２長孔と、が略直交するように設けられるとともに、第１長孔を規定する取付面の第１長孔縁部と、第２長孔を規定する取付面の第２長孔縁部と、がそれぞれ、背面との離隔距離Ｄ１ないしＤ２を縦配置ないし横配置におけるスピーカーキャビネットの底面側よりも天面側で大きくするように傾斜する。
【００１１】
また、本発明のスピーカーキャビネットは、第１長孔縁部および第２長孔縁部が、背面との離隔距離Ｄ０を第１長孔が延びる第１方向および第２長孔が延びる第２方向の中間方向である４５度方向に沿って変化するように傾斜して背面から窪んだ凹部を形成する取付面に形成されている。
【００１２】
好ましくは、本発明のスピーカーキャビネットは、壁面取付機構が、背面に複数設けられて、それぞれの壁面取付機構が備える長孔のいずれかが、互いに平行になるように配置されている。
【００１３】
また、本発明のスピーカーシステムは、上記のスピーカーキャビネットと、スピーカーキャビネットに取り付けられるスピーカーと、を備える。
【００１４】
以下、本発明の作用について説明する。
【００１５】
本発明のスピーカーキャビネットは、壁面に背面を密着させて取り付ける壁面取付機構を備える。この壁面取付機構は、壁面に螺合して突出するネジのネジ頭部が通過する円孔と、円孔に連通してネジの軸部が係合する長孔と、円孔および長孔を含む取付面と、を有している。あるいは、壁面取付機構は、壁面に螺合して突出するネジのネジ頭部が通過する円孔と、円孔に連通してネジの軸部が通過する第１長孔および第２長孔と、円孔および第１長孔および第２長孔を含む取付面と、を有している。第１長孔はスピーカーキャビネットの縦配置に対応する長孔であり、第２長孔は横配置に対応する長孔であり、これらは略直交するように設けられる。
【００１６】
好ましくは、スピーカーキャビネットは、壁面取付機構が、背面に複数設けられており、スピーカーキャビネットに取り付けられるスピーカーとともに、壁面に背面を密着させて取り付けるスピーカーシステムを構成する。したがって、本発明のスピーカーシステムは、壁面に螺合させるネジが、スピーカーキャビネットの背面に設けられる取付面の円孔および長孔に入り込むように設計されるので、特別なブラケット等を必要とせず、壁面に背面を密着させて取り付けることができる。
【００１７】
具体的には、本発明の壁面取付機構では、長孔を規定する取付面の長孔縁部が、背面との離隔距離Ｄをスピーカーキャビネットの底面側よりも天面側で大きくするように傾斜する。または、第１長孔を規定する取付面の第１長孔縁部と、第２長孔を規定する取付面の第２長孔縁部と、がそれぞれ、背面との離隔距離Ｄ１ないしＤ２を、縦配置ないし横配置におけるスピーカーキャビネットの底面側よりも天面側で大きくするように傾斜する。あるいは、第１長孔縁部および第２長孔縁部は、背面との離隔距離Ｄ０を第１長孔が延びる第１方向および第２長孔が延びる第２方向の中間方向である約４５度方向に沿って変化するように傾斜して背面から窪んだ凹部を形成する取付面に形成されていてもよい。
【００１８】
すなわち、本発明の壁面取付機構では、円孔に連通してネジの軸部が通過する長孔が、スピーカーキャビネットの底面側よりも天面側において背面との離隔距離が大きくするように傾斜しているので、壁面に突出するように螺合するネジを用いてスピーカーキャビネットの背面を壁面に密着させて取り付ける場合に、ネジの飛び出し寸法が一定の範囲内であれば、ネジ頭部および軸部が傾斜した長孔縁部のいずれかの場所に係合し、ネジの飛び出し寸法のバラツキを吸収することができる。スピーカーシステムを垂直な壁面に設置する場合には、スピーカーキャビネットには重力が働くので、ネジの頭部及び軸部は、背面と壁面との間に隙間ができないように密着した位置まで相対的に移動して、固定される。その結果、見栄えがよく、かつ、安定してスピーカーシステムを壁面に固定できる。
【００１９】
壁面取付機構が、スピーカーキャビネットの背面に複数設けられている場合には、それぞれの壁面取付機構が備える長孔のいずれかが、互いに平行になるように配置されているのが好ましい。特に、直方体状のスピーカーキャビネットを備えるスピーカーシステムを、横置きの状態で壁面に取り付ける際には、取り付けを安定させるために２以上の複数のネジを用いることがあり、これらのネジを床面に対して水平にしなければ、スピーカーシステムが傾いた状態で固定されるおそれがある。ただし、本発明の壁面取付機構を備えるスピーカーシステムの場合には、２つのネジが床面に対して水平な関係になっていなくても、それぞれネジの突出する長さを調整すれば、スピーカーキャビネットを床面に対して平行に固定することができ、見栄えと安定性を良くすることができる。
【発明の効果】
【００２０】
本発明の壁面取付機構を備えるスピーカーキャビネットは、安定した固定が可能であり、見栄え良く壁面に背面を密着させて取り付けることが可能なスピーカーシステムを実現することができる。
【図面の簡単な説明】
【００２１】
【図１】本発明のスピーカーシステムについて説明する図である。（実施例１）
【図２】本発明のスピーカーキャビネットの壁面取付機構について説明する図である。（実施例１）
【図３】比較例のスピーカーキャビネットの壁面取付機構について説明する図である。（比較例１）
【図４】本発明の他のスピーカーキャビネットについて説明する図である。（実施例２）
【図５】本発明の他のスピーカーキャビネットについて説明する図である。（実施例３）
【発明を実施するための形態】
【００２２】
以下、本発明の好ましい実施形態によるスピーカーキャビネット及びこれを用いたスピーカーシステムについて説明するが、本発明はこれらの実施形態には限定されない。
【実施例１】
【００２３】
図１は、本発明の好ましい実施形態によるスピーカーシステム１について説明する図である。具体的には、図１（ａ）は、壁面４に取り付けられるスピーカーシステム１を正面側から見た斜視図であり、図１（ｂ）は、スピーカーシステム１を背面側から見た斜視図である。なお、図１において、説明に不要なスピーカーシステム１の構成の一部は、省略している。
【００２４】
本実施例のスピーカーシステム１は、スピーカーユニット２と、スピーカーユニット２を取り付けるキャビネット３と、から構成される。本実施例では、スピーカーユニット２は、キャビネット３の前面３ｆに取り付けられ、音声信号電流が供給されるとスピーカー振動板が前後方向に振動することにより音波を放射する。略直方体状のキャビネット３は、スピーカー振動板の前後空間を分離させるとともに、その内部に音響容量を規定する。例えば、樹脂で形成されるキャビネット３は、前面３ｆを含む前部と、背面３ｒを含む後部とを連結して構成される。
【００２５】
また、キャビネット３は、その平面状の背面３ｒを垂直で平面状の壁面４に、特別なブラケット等を必要とせず、（図１では図示しない）安価なネジ５を使って取り付けることができるように、背面３ｒに壁面取付機構を有している。本実施例のキャビネット３の壁面取付機構は、背面３ｒから窪んだ凹部を形成する取付面６が、背面３ｒの中央よりも上部側に設けられており、直方体形状のスピーカーシステム１が縦長になる縦配置の状態で、壁面４にキャビネット３の背面３ｒを密着させて取り付けることができる。
【００２６】
図２は、スピーカーシステム１を構成する本実施例のキャビネット３の壁面取付機構を説明する断面図である。図２（ａ）および図２（ｂ）は、それぞれ壁面４に対してほぼ直角にねじ込まれるネジ５長さが異なる場合の説明図である。キャビネット３が備える壁面取付機構は、壁面４に螺合して突出するネジ５のネジ頭部５ａが通過する円孔７と、円孔７に連通してネジ５の軸部５ｂが通過する長孔８と、円孔７および長孔８を含む取付面６と、を有している。長孔８は、縦配置の状態のスピーカーシステム１に対応して、円孔７から縦配置における上側方向に伸びるように取付面６に形成されている。そして、長孔８を規定する取付面６の長孔縁部が、背面３ｒとの離隔距離Ｄをスピーカーキャビネット１の底面側よりも天面側で大きくなるように傾斜している。
【００２７】
したがって、図２（ａ）の場合と図２（ｂ）との場合にそれぞれ示すように、ネジ５のネジ頭部５ａが円孔７を通じてキャビネット３の内部側に入り込み、ネジ５のネジ頭部５ａおよび軸部５ｂが、長孔８を規定する取付面６の長孔縁部のいずれかの場所に係合するので、ネジ５の飛び出し寸法のバラツキを吸収することができる。壁面取付機構では、円孔７に連通してネジ５の軸部５ｂが通過する長孔８が、キャビネット３の底面側よりも天面側において背面との離隔距離Ｄが大きくするように傾斜しているので、壁面４に突出するように螺合するネジ５を用いてキャビネット３の背面３ｒを壁面４に密着させて取り付ける場合に、ネジ５の飛び出し寸法が一定の範囲内であれば、ネジ頭部５ａおよび軸部５ｂが傾斜した長孔縁部のいずれかの場所に係合し、ネジ５の飛び出し寸法のバラツキを吸収することができる。スピーカーシステム１を垂直な壁面に設置する場合には、キャビネット３には重力が働くので、ネジ５の頭部５ａ及び軸部５ｂは、背面３ｒと壁面４との間に隙間ができないように密着した位置まで相対的に移動して、固定される。その結果、本実施例の壁面取付機構を備えるスピーカーシステム１は、見栄えがよく、かつ、安定して壁面４に固定できる。
【００２８】
図３は、キャビネット３に代えてスピーカーシステム１を構成する比較例のキャビネット３０の壁面取付機構を説明する断面図である。図３（ａ）および図３（ｂ）は、それぞれ壁面４に対してほぼ直角にねじ込まれるネジ５長さが異なる場合の説明図である。比較例のキャビネット３０が備える壁面取付機構は、壁面４に螺合して突出するネジ５のネジ頭部５ａが通過する円孔３７と、円孔３７に連通してネジ５の軸部５ｂが通過する長孔３８と、を有している点で先の実施例のキャビネット３に共通する。ただし、比較例のキャビネット３０では、円孔３７および長孔３８が背面３０ｒに設けられており、先の実施例のような背面３ｒから窪んだ凹部を形成し、かつ、傾斜するように設けられる取付面を有していない。長孔３８は、縦配置の状態のスピーカーシステム１に対応して、円孔３７から縦配置における上側方向に伸びるように背面３０ｒに形成されている。
【００２９】
したがって、壁面４に突出するように螺合するネジ５の長さが、図３（ａ）の場合に示すように適切に調整されている場合には、ネジ５のネジ頭部５ａが円孔３７を通じてキャビネット３０の内部側に入り込み、ネジ５の軸部５ｂが、長孔３８を規定する長孔縁部の端部に係合するので、比較例のキャビネット３０は、壁面４に背面３０ｒを密着させて取り付けることができる。ただし、壁面４に突出するように螺合するネジ５の長さが、図３（ｂ）の場合に示すように適切な状態よりも長く調整されている場合には、従来の壁面取付機構では、ネジ５の飛び出し寸法のバラツキを吸収する機能を有しないので、壁面４に取り付けられるスピーカーシステム１は、図３（ｂ）の場合に示すように見栄えが悪くなり、かつ、不安定になる。
【００３０】
なお、本実施例のキャビネット３の壁面取付機構では、円孔７および長孔８が、傾斜した厚みがほぼ一定の取付面６に鍵穴形状の貫通孔を設けることで形成されている。このように、取付面６が、背面３ｒとの離隔距離Ｄをスピーカーキャビネットの底面側よりも天面側で大きくするように傾斜するようになっている場合には、長孔８を規定する取付面の長孔縁部の厚みは、一定であればよい。本実施例の場合には、取付面６の長孔縁部と背面３ｒとの離隔距離Ｄは、背面３ｒと取付面６との段差と、取付面６の厚みを含む寸法である。
【００３１】
一方、例えば、壁面取付機構を構成する取付面６が、キャビネット３の背面３ｒとほぼ平行な面として形成されていても、長孔８を規定する取付面６の長孔縁部に長孔の形状に対応したキャビネット３の内側に凸状となるようなリブを設け、その厚みが長孔８に沿って徐々に変化するようになっていても良い。つまり、取付面６の長孔縁部と背面３ｒとの離隔距離Ｄは、背面３ｒと取付面６との段差がほとんど無い場合であっても、取付面６の厚み、あるいは、長孔８を規定する長孔縁部に設けられるリブの高さを含む寸法であればよい。長孔８を規定する取付面６の長孔縁部が、背面３ｒとの離隔距離Ｄをスピーカーキャビネット３の底面側よりも天面側で大きくするように傾斜していれば、実施例の場合のように、ネジ頭部５ａおよび軸部５ｂが傾斜した長孔縁部のいずれかの場所に係合し、ネジ５の飛び出し寸法のバラツキを吸収することができ、その結果、本実施例の壁面取付機構を備えるスピーカーシステム１を、見栄えがよく、かつ、安定して壁面４に固定できる。
【実施例２】
【００３２】
図４は、本発明の他の好ましい実施形態によるスピーカーシステム１を構成するキャビネット１３について説明する図である。具体的には、図４（ａ）は、キャビネット１３を正面側から見た斜視図であり、図４（ｂ）は、キャビネット１３を背面側から見た斜視図である。なお、図４において、説明に不要なキャビネット１３の構成の一部は、省略している。本実施例のキャビネット１３は、先の実施例のキャビネット３に代えて、スピーカーシステム１を構成する。したがって、先の実施例の場合と共通する部品および部材には共通する番号を付して、説明を省略する。
【００３３】
本実施例のキャビネット１３は、その平面状の背面１３ｒを垂直で平面状の壁面４に、特別なブラケット等を必要とせず、（図４では図示しない）安価なネジ５を使って取り付けることができるように、背面１３ｒに壁面取付機構を有している。本実施例のキャビネット１３の壁面取付機構では、背面１３ｒから窪んだ凹部を形成する取付面１６が、背面１３ｒのほぼ中央に設けられており、直方体形状のスピーカーシステム１が縦長になる縦配置の状態で、あるいは、縦配置から約９０度回転して横長になる横配置の状態のいずれかで、壁面４にキャビネット１３の背面１３ｒを密着させて取り付けることができる。
【００３４】
キャビネット１３が備える壁面取付機構は、壁面４に螺合して突出するネジ５のネジ頭部５ａが通過する円孔１７と、円孔１７に連通してネジ５の軸部５ｂが通過する第１長孔１８および第２長孔１９と、円孔１７および第１長孔１８および第２長孔１９を含む取付面１６と、を有する。キャビネット３の縦配置に対応して図示するｘ軸方向に設けられる第１長孔１７と、横配置に対応して図示するｙ軸方向に設けられる第２長孔１８と、は、円孔１７で略直交するように傾斜した取付面１６に貫通孔として設けられている。
【００３５】
また、取付面１６は、第１長孔１７と第２長孔１８とがそれぞれ延びる方向の中間方向である図示するｚ軸方向に沿って、背面１３ｒとの離隔距離Ｄ０をスピーカーキャビネット１の底面側よりも天面側で大きくなるように傾斜している。つまり、取付面１６の対角線の一方にほぼ一致する４５度方向に沿って、取付面１６が背面１３ｒに対して傾斜している。したがって、第１長孔１８を規定する取付面１６の第１長孔縁部と、第２長孔１９を規定する取付面の第２長孔縁部と、がそれぞれ、背面１３との離隔距離Ｄ１ないしＤ２を縦配置ないし横配置におけるキャビネット３の底面側よりも天面側で大きくするように傾斜する。なお、取付面１６が規定する離隔距離Ｄ０、Ｄ１、および、Ｄ２は、先の実施例における離隔距離Ｄに対応する寸法である。
【００３６】
したがって、先の実施例の場合と同様に、直方体形状のスピーカーシステム１を縦配置の状態で壁面４に取り付ける場合には、ネジ５のネジ頭部５ａが円孔１７を通じてキャビネット１３の内部側に入り込み、ネジ５のネジ頭部５ａおよび軸部５ｂが、縦位置に対応する第１長孔１８を規定する取付面１６の長孔縁部のいずれかの場所に係合するので、ネジ５の飛び出し寸法のバラツキを吸収したうえで、縦配置にしてスピーカーシステム１を固定することができる。また、直方体形状のスピーカーシステム１を横配置の状態で壁面４に取り付ける場合には、ネジ５のネジ頭部５ａが円孔１７を通じてキャビネット１３の内部側に入り込み、ネジ５のネジ頭部５ａおよび軸部５ｂが、横位置に対応する第２長孔１９を規定する取付面１６の長孔縁部のいずれかの場所に係合するので、ネジ５の飛び出し寸法のバラツキを吸収したうえで、横配置にしてスピーカーシステム１を固定することができる。
【００３７】
スピーカーシステム１を垂直な壁面に設置する場合には、キャビネット１３には重力が働くので、ネジ５の頭部５ａ及び軸部５ｂは、背面１３ｒと壁面４との間に隙間ができないように密着した位置まで相対的に移動して、固定される。この壁面取付機構では、円孔１７に連通してネジ５の軸部５ｂが通過する第１長孔１８ないし第２長孔１９が設けられる取付面１６が、キャビネット１３の縦配置または横配置のいずれの場合であっても、底面側よりも天面側において背面１３ｒとの離隔距離Ｄ０が大きくなるように傾斜しているので、壁面４に突出するように螺合するネジ５を用いてキャビネット１３の背面１３ｒを壁面４に密着させて取り付ける場合に、ネジ５の飛び出し寸法が一定の範囲内であれば、ネジ頭部５ａおよび軸部５ｂが傾斜した第１長孔１８ないし第２長孔１９の長孔縁部のいずれかの場所に係合し、ネジ５の飛び出し寸法のバラツキを吸収することができる。その結果、本実施例の壁面取付機構を備えるスピーカーシステム１は、見栄えがよく、かつ、安定して壁面４に固定できる。
【００３８】
なお、本実施例のキャビネット１３の壁面取付機構では、円孔７および第１長孔１８の長孔縁部および第２長孔１９の長孔縁部が、図示するｚ方向に沿って背面１３ｒとの離隔距離Ｄ０を変化するように傾斜した厚みがほぼ一定の取付面１６に鍵穴形状の貫通孔を設けることで形成されている。このように、取付面１６が、背面１３ｒとの離隔距離Ｄ０を、縦配置の場合でも横配置の場合でもキャビネット１３の底面側よりも天面側で大きくするように傾斜するようになっている場合には、第１長孔１８の長孔縁部および第２長孔１９の長孔縁部を規定する取付面の長孔縁部の厚みは、一定であればよい。
【００３９】
もちろん、第１長孔１８の長孔縁部および第２長孔１９の長孔縁部が、それぞれの長孔を規定する取付面１６の長孔縁部に長孔の形状に対応したキャビネット１３の内側に凸状となるようなリブを設け、その厚みが長孔に沿って徐々に変化するようになっていても良い。ネジ頭部５ａおよび軸部５ｂが傾斜した長孔縁部のいずれかの場所に係合し、ネジ５の飛び出し寸法のバラツキを吸収することができ、その結果、本実施例の壁面取付機構を備えるスピーカーシステム１を、見栄えがよく、かつ、安定して壁面４に固定できる。
【実施例３】
【００４０】
図５は、本発明の他の好ましい実施形態による（図示しない）スピーカーシステムを構成するキャビネット２３について説明する斜視図である。なお、図５において、説明に不要なキャビネット２３の構成の一部は、省略している。本実施例の略直方体状のキャビネット２３は、先の実施例のキャビネット３のようにスピーカーシステムを構成する。したがって、先の実施例の場合と共通する部品および部材には共通する番号を付して、説明を省略する。
【００４１】
本実施例のキャビネット２３は、その平面状の背面２３ｒを垂直で平面状の壁面４に、特別なブラケット等を必要とせず、安価な２つのネジ５を使って取り付けることができるように、背面２３ｒに２つの壁面取付機構２１および２２を有している。本実施例のキャビネット２３は、図５に図示するような横長の直方体形状のまま壁面４に取り付ける横配置の状態と、縦長に壁面４に取り付ける縦配置の状態と、が想定されるスピーカーシステムを構成する。
【００４２】
本実施例のキャビネット２３の壁面取付機構２１は、先の実施例１のキャビネット３の壁面取付機構とほぼ同じ構成を有し、壁面４に螺合して突出するネジ５のネジ頭部５ａが通過する円孔７と、円孔７に連通してネジ５の軸部５ｂが通過する長孔８と、円孔７および長孔８を含む取付面６と、を有している。また、本実施例のキャビネット２３の壁面取付機構２２は、先の実施例２のキャビネット１３の壁面取付機構とほぼ同じ構成を有し、壁面４に螺合して突出するネジ５のネジ頭部５ａが通過する円孔１７と、円孔１７に連通してネジ５の軸部５ｂが通過する第１長孔１８および第２長孔１９と、円孔１７および第１長孔１８および第２長孔１９を含む取付面１６と、を有する。そして、これらの２つの壁面取付機構２１および２２は、一方の壁面取付機構２１が備える長孔８と、他方の壁面取付機構２２が備える第１長孔１８と、が、互いに平行になるように配置されている。
【００４３】
つまり、壁面取付機構２１および２２は、背面２３ｒから窪んだ凹部を形成する取付面６および１６が、横配置された背面２３ｒの左右に設けられており、直方体形状のスピーカーシステムが横長になる横配置の状態で、２つのネジ５を使って壁面４にキャビネット２３の背面２３ｒを密着させて取り付けることができる。また、一方の壁面取付機構２２は、先の実施例で説明するように、第１長孔１８に対して略直交するように設けられる第２長孔１９を有しているので、キャビネット２３を備える直方体形状のスピーカーシステムが縦長になる縦配置の状態であっても、壁面４にキャビネット２３の背面２３ｒを密着させて取り付けることができる。
【００４４】
図５に示すように、壁面４にキャビネット２３の背面２３ｒを密着させて取り付ける場合には、先の実施例の場合と同様に、一方の壁面取付機構２１では、ネジ５のネジ頭部５ａが円孔７を通じてキャビネット２３の内部側に入り込み、ネジ５のネジ頭部５ａおよび軸部５ｂが、取付面６の長孔縁部のいずれかの場所に係合する。また、他方の壁面取付機構２２では、ネジ５のネジ頭部５ａが円孔１７を通じてキャビネット２３の内部側に入り込み、ネジ５のネジ頭部５ａおよび軸部５ｂが、取付面１６の長孔縁部のいずれかの場所に係合する。本実施例の場合には、２つのネジ５は、点線で示すように床面に対して水平にしていなくても、それぞれのネジ５の突出する長さを調整すれば、キャビネット２３を床面に対して平行に固定することができ、２つのネジ５を水平にするように打ち直すことなく、見栄えと安定性を良くすることができる。
【００４５】
なお、本発明の壁面取付機構を備えるスピーカーキャビネットは、上記の実施例に限られない。上記の実施例の説明では省略しているが、スピーカーキャビネットは、外部の空気と、キャビネット内部の音響容量を規定する空気と、が、壁面取付機構が有する円孔および長孔を介して連通することがないようにする隔離壁を設けるのが好ましい。
【００４６】
また、壁面取付機構を備えるスピーカーキャビネットは、略直方体形状に限定されるものではなく、縦方向の配置と、横方向の配置が可能で、壁面４に密着させて取り付ける背面を有しているものであればよい。もちろん、壁面取付機構は、背面に設けられている場合に限定されず、略直方体形状である場合には、天面、底面、側面のいずれかの部分に設けられていればよい。背面、天面、底面、側面は、平面状に限らず、凹凸を有する曲面であってもよい。壁面取付機構を備えるスピーカーシステムは、見栄えがよく、かつ、安定して壁面４に固定できる。
【産業上の利用可能性】
【００４７】
本発明の壁面取付機構は、スピーカーシステム以外にも、フック装置を備える壁掛け時計、あるいは、他にも絵画の額等の場合にも有用である。安定した固定が可能であり、見栄え良く壁面に背面を密着させて取り付けることが可能になる。
【符号の説明】
【００４８】
１            スピーカーシステム
２            スピーカーユニット
３、１３、２３  キャビネット
４            壁面
５            ネジ
６、１６      取付面
７、１７      円孔
８            長孔
１８          第１長孔
１９          第２長孔
２１、２２    壁面取付機構
【図１】
2010245711.tif 000003
【図２】
2010245711.tif 000004
【図３】
2010245711.tif 000005
【図４】
2010245711.tif 000006
【図５】
2010245711.tif 000007